(57)【要約】 【課題】簡単な仕掛けと、とても簡単な操作で、姿勢の変化に追随する、手ぶらで傘がさせる、傘保持具が無かった。【解決手段】立っている身体の肩に肩フック（２）を掛けると、傘の柄（７）が挟める、ホルダー（６）を持った中空軸の棒（１）が、その中には引張力付与部材（４）が、その下にはベルト係着具（５）が繋がっており、ズボンのベルト（１４）にベルト係着具（５）を係着させるだけで、傘をさす体制が出来上がるので、後はホルダー（６）に傘の柄を挟むだけで、手ぶらで傘がさせる。【選択図】  図１
2008253651.tif 000002
【特許請求の範囲】
【請求項１】
棒（１）の上部には肩に跨る、肩フック（２）があり、棒（１）の中間には、傘の柄（７）が挟める、ホルダー（６）が設けられている傘保持具に於いて、棒（１）を中空軸（３）とし、下端にズボンのベルトに係着するベルト係着具（５）を備えた引張力付与部材（４）を中空軸（３）内に設けた事を特徴とする傘保持具。
【請求項２】
肩フック（２）の肩に跨るカーブ形状は、その肩フック（２）の先端が背中の肩甲骨の下側に食い込むカーブ形状である請求項１記載の傘保持具。
【発明の詳細な説明】
【技術分野】
【０００１】
この発明は傘を手で持たずに、さす事が出来るものである。          
【背景技術】
【０００２】
次のような先行技術があった。
【特許文献１】特開２００５−４０５５７肩掛け傘。
【特許文献２】特開２００６-−７５５５７両手が使えて歩ける傘ホルダー。
【特許文献３】特開２００５−７３９８０身体への傘支持用具
【発明の開示】
【発明が解決しようとする課題】
【０００３】
特開２００５−４０５５７、肩掛け傘については、既存傘をそのまま使用できない事、又既存傘の柄を取り替えて、肩に巻付けると言う煩わしさがあり、すぐに着脱出来ない事や、巻きつける力が弱いとか、巻きつけ位置が不適当であると、傘が前後に回り傾く短所がある。また特開２００６−７５５５７、両手が使えて歩ける傘ホルダーについては、前屈みの姿勢をとった時に、ホルダー支柱が下半身に閊（つか）えた時、肩から外れ易い課題があり、外れ難くするためには、特開２００５−７３９８０身体への傘支持用具、のように、わざわざ専用ベルトを身体に巻きつけたりしなければならなかった。しかしこれではいかにもたいそうであり、このようなたいそうな事をしてまで、手ぶらで傘をさす人は少なかった。
【課題を解決するための手段】
【０００４】
本発明は質素な仕掛けと、簡単な動作で前記課題を解決しようとするものである。図１に示す様に、棒（１）の上部には肩に跨る、肩フック（２）があり、棒（１）の中間には、傘の柄（７）が挟める、ホルダー（６）が設けられている傘保持具に於いて、棒（１）を中空軸（３）とし、下端にズボンのベルトに係着するベルト係着具（５）を備えた引張力付与部材（４）を中空軸（３）内に設けた事を特徴とする傘保持具である。中空軸とはパイプの事や、棒（１）の横断面形状がコの字形、馬蹄形、Ｈ形の形をした、内部に物を通せる断面形状の筒の開口面を梯子状の面で塞いだパイプ状の材の事である。又、格子状の板を筒状にした物も含む。次にベルト係着具（５）とは、例えば引張力付与部材（４）がゴム紐の場合、ゴム紐先端を数回結んでくくりつけ、結び目で瘤（こぶ）を作り、身体とベルトの間を通して瘤（こぶ）をベルトの下に位置させる事でベルトに係着させる物、ゴム紐の先に鉤状のフックを設けフックでベルトを引っ掛ける物、更には洗濯ばさみの様に挟む力でベルトを掴む物の事を言う。次に引張力付与部材（４）とはゴム紐、バネに代表される、弾性の大きい材の事である。荷重を受けると変形し、荷重が取り去られると元に戻る性質が大きい材料の事である。棒（１）の上部には肩に跨る、肩フック（２）があり、棒（１）の中間には、傘の柄（７）が挟める、ホルダー（６）が設けられている技術は既知公知技術である。しかし、これだけでは身体の動きや姿勢の変化に追随しにくく、肩フック（２）が外れやすく、外れない場合でも、肩からずれたり、動いたりして適当な位置にホルダー（６）が定着しないと言う欠点がある。それを解決する為に専用ベルトを身体に巻きつけたり、棒の下端をベルトに係着する既知公知技術があったが、身体に余計な物が巻きつく事は不快感があり、身体の動きに追随して変形や伸縮しない棒が、直接ベルトに係着する事は身体の姿勢を変え難い欠点があり、普及しなかった。そこで本発明は、肩に掛かる棒に、ズボンのベルトに係着するゴム紐等の、引張力付与部材（４）を設けた事を特徴とする。
【０００５】
本発明の目的は棒（１）に引張力（引っ張り力）を与え、その棒（１）に設けられたホルダー（６）を保持し、最終的にホルダー（６）に挟まれた傘を保持することにある。
【０００６】
立っている身体の肩に肩フック（２）を掛け、ベルト係着具（５）をズボンのベルトに係着させると、棒（１）は、直立した身体とほぼ平行な垂直状態に、その姿勢を保つ。ゴム紐等の、引張力付与部材（４）はその長さを短くして、引張力が働く長さにしておく。すると棒（１）は常に引っ張られているので、身体を前屈みにしたり、左右に動かしても棒（１）は身体から離れない。引張力付与部材（４）には長さ調節出来る、引張力調節機能を持たしておくと更に良い。例えばコードストッパーと呼ばれるような洋服のジャンバーの裾や、雨合羽の頭巾のあご裾を締め付けるのに使われている、飴玉程度の樹脂球に穴を開け、ゴム紐を通し、バネの力で紐を押さえ付け固定させている物等である。
【０００７】
この状態の棒（１）中間には傘の柄（７）が挟める、ホルダー（６）が設けられているので、そのホルダー（６）に、開いた状態の傘の柄（７）を挟ませると傘を差した状態になる。しかも手ぶらである。ホルダー（６）は洗濯ばさみの如く弾性の力で傘の柄を挟み込む物、ねじを巻くと掴む物を挟める隙間寸法が変化する物、等の既知公知技術がある。
【０００８】
ホルダー（６）を棒（１）の適当な高さ、向きに位置に設ける事で、傘を使い易い位置に保持できる。
【０００９】
ホルダー（６）は図３に示す凹凸形状を組み合わせた、雌雄を噛み合わせる方式はシンプルながら便利である。丸棒にした棒（１）と傘の柄（７）が凸に相当し、ホルダー（６）が凹に相当する。図３で説明すると、棒（１）がパイプであり、ホルダー（６）は横断面形状が円周の四分の三程度の円弧形状の弾性材製の筒溝（６Ｌ）と（６Ｒ）の背中合わせの組み合わせであり、筒溝（６Ｌ）は円弧の内径が、丸棒（１）の外径より少し小さく、筒溝（６Ｒ）は円弧の内径が、傘の柄（７）の横断面外径より少し小さく、この弾性材製の筒溝（６Ｌ）と（６Ｒ）を背中合わせに、螺子やリベットの接続材（８）で、回動可能に繋ぎ、締め付けたものがホルダー（６）である。弾性材製の（６Ｌ）と（６Ｒ）が背中合わせに螺子やリベットの接続材で回動可能に繋ぎ、締め付けられているので、繋ぎ合わされている（６Ｌ）と（６Ｒ）の接触面には摩擦が起こり、回動がし難くなっているが、強い荷重を加えると回動出来る固さに締め付けておく。螺子やリベットの締め付け力を加減すれば回動の度合いを適当なものにすることが出来る。又接触面の大きさや、接触面の摩擦係数を加減できる面にする事で使いやすい物にすることが出来る。この筒溝（６Ｌ）に棒（１）を嵌め込み、筒溝（６Ｒ）に傘の柄（７）を嵌め込むと傘が保持できる。筒溝は挟み込む物の方が太いので、内径が広げられ、弾性の力により内包する物を挟み込むからである。
【００１０】
更にこのホルダーの場合は丸棒と傘の柄が周囲を取り巻く弾性材製の筒溝（６Ｌ）（６Ｒ）の中を水平回転をすることで、水平方向の回動が可能になり、筒溝（６Ｌ）と（６Ｒ）の接続材（８）での組み合わせにより垂直方向回転の回動が可能になる。この事により、適度な傘の角度が確保できる。そして筒溝（６Ｌ）を棒（１）の適当な高さにスライドさす事で使いやすい位置に傘をさす事が出来る。なぜならば弾性材の筒溝（６Ｌ）が常に棒（１）を挟んで掴んでいるからである。
【００１１】
本発明においては更に、棒（１）が中空軸（３）であり、下端にズボンのベルトに係着する、ベルト係着具（５）を備えた、引張力付与部材（４）を中空軸（３）内に設けている。図２に示すように中空軸でない棒（１）の下端にゴム紐等の、引張力付与部材（４）を設けた場合、係着させる腰のベルトまでの距離が短いと伸張度合いを調節しにくくなる。例えば棒（１）の下端からベルトまでの距離が５ｃｍの場合、ゴム紐の長さを５ｃｍにするとゴム紐は引っ張られていないので、引張力が働かない。そこでゴム紐の長さを１ｃｍにすると、引張力が働く、しかしそれ以上にゴム紐が引っ張られる後ろそり等の姿勢になると、ゴム紐が切れてしまう事もあり、バネだと伸びきってしまう事もある。これを解決するには、ゴム紐を長くして棒（１）の外側途中から引っ張ると、引張力の変化に対応する範囲が広くなる。しかし図１に示すようにホルダー（６）が上下にスライド出来る物であれば、ゴム紐を棒（１）の外側途中に取り付けている箇所が、スライド動作を阻むことに成る。そこで、棒（１）の横断面形状を、中空状にし、その中空部内にゴム紐を入れる事で、スライド動作を阻まない物が出来る。棒（１）を全てパイプとし、その上端に穴（１１）を開けゴム紐の上端を出し、穴（１１）の内径より大きい外径寸法のリング（１２）に繋ぎ、ゴム紐の下端をパイプ下端から出し、ズボンのベルト（１４）に係着させると、棒（１）は、身体に定着する。ゴム紐を棒（１）の外側に設けている場合、ズボンのベルト位置に迄伸びた棒の下端に、ゴム紐を設けるとゴム紐長さが取れなくなり、引張力を働かす事が出来なくなる。かと言って棒の長さ途中にゴム紐を設けるとホルダー（６）の上下にスライド出来る範囲が小さくなる。この為棒（１）をパイプ形状等の中空軸にし、その中空部に引張力付与部材（４）であるゴム紐を設ける事でスライド出来る範囲を増やした。
【００１２】
棒（１）はその長さが長いほど、身体に定着する安定度が高い、しかし腰より下に伸びると前屈みの姿勢がとり難い。そこで、より高い定着安定度が要求される場合は、図１Ｂに示すようにパイプである棒（１）の下端長さをベルトの外側でズボンの腰ベルト位置より下にまで伸ばし、パイプである棒に切り欠き（１３）を設け、切り欠き（１３）からゴム紐を引き出しベルト（１４）にベルト係着具（５）を引っ掛ける事で定着される。
【００１３】
請求項２については図４に示すように、肩フック（２）の肩に跨るカーブ形状は、その肩フック（２）の先端が背中の肩甲骨の下側に食い込むカーブ形状である。肩甲骨の下に肩フック（２）の先端が食い込むと、傘が前に引っ張られた時棒（１）も前に引かれ、フック先端は肩甲骨下に引っ掛かり、傘保持具が身体に定着する度合いが高い。
【発明の効果】
【００１４】
以上の様に、本発明は前記発明の課題、を解決したものである。すなわち肩フック（２）を肩に掛け、ベルト係着具（５）を腰のベルトに係着させるだけの、至極簡単な操作で、傘を保持する用意が出来たので、後は開いた傘の柄を、ホルダー（６）に挟むだけで傘がさせる。この引張力（引張る力）を付与する言った至極簡単な仕掛けで、少々姿勢を変えても身体から離れずに傘を差す状態を保てる事が本発明の最大の特徴である。しかもその引張力付与部材の位置は中空軸（３）である棒（１）の中空部である。引張力付与部材が常に棒（１）を肩フック（２）と腰ベルト間で引っ張っているので、その間にあるホルダー（６）に、色んな方向の負荷が働いても、身体と並行状態が保たれるのである。その結果、保持力が棒（１）、ホルダー（６）、傘、又はその逆順に伝わり、傘が保持される訳である。ベルトの無い場合はズボンやスカートの上端を、洗濯挟みのような挟み式のベルト係着具で挟む事も考えられるが、ベルトを装着するのが最も安定する。
【００１５】
そして更に素晴らしいのが、棒（１）又はホルダー（６）又は傘を、手で持って、上へ上げる事により、棒（１）ごと傘が上に持ち上がるのである。何故なら跨がっている肩フック（２）が肩から外れ、引張力付与部材であるゴム紐が伸びるからである。勿論限度はある。混雑している街中を歩くと、対向して歩いて来る人との、傘と傘とがぶつかりそうになる事は良くある、傘を手で持って歩いている場合は、互いにぶつからない様に、上に上げたり左右に振ったりして衝突を防いでいる。この傘保持具はそれに近い動きが出来るのである。即ちその時、棒や傘を手で持って、上へ上げるとベルトに定着されているゴム紐が伸びて、一々、傘保持具を身体から外さなくても傘が動かせるからである。この事により次のような使い方が出来る。これは私の経験だが、両手を使っての操作が必要な土木建築現場でのレベルやトランシットを覗く、眩しい直射日光や雨を嫌う精密な測量作業が出来る。又、雨降りの日、営業マンが玄関先でお客様にパンフレット等を見せて説明する場合でも、資料や書類を濡らさないですむ。又ガードマンが警備をする時は雨合羽を着用するが、冬場の雨はカッパを通して体温をも奪う、このような場合、手ぶらでさせる傘があると、身体に雨を触れさす事が減少できる。又、真夏の海水浴監視員等は、裸の身体にベルトを装着するだけで傘が使用出来、両手で双眼鏡がのぞける。更に雨傘日傘共に利用出来、雨、直射日光、逆光を嫌うカメラマン、街頭でのマイクを持つ選挙演説にも利用できる。近年、紫外線は益々強くなって来るように感じる。修学旅行生が電池式のミニ扇風機を集団で使っている光景をよく目にする。我々の時代は扇子が常識であった。人類史が後２００年かも知れないと言われる現代に於いても、まだこのような環境負荷の大きい商品が新発売される。日傘は質素な日除けとして最適である。そして傘は既存の傘をそのまま使用できるので普及しやすく無駄がない。
【発明を実施するための最良の形態】
【００１６】
図２のように図１に示される肩フック（２）を肩に掛け、ベルト係着具（５）をズボンのベルトに掛け、その姿勢の状態の時に傘をホルダー（６）に挟み込みこんで傘を保持する。この時、肩フック（２）の先端が背中の肩甲骨の下に食い込む状態の時、傘保持具が最も外れ難い。
【００１７】
棒（１）を釣竿のように、鞘管方式にすることや、肩フック（２）の途中を二つ折りにし、ピンで繋ぐ等の既存技術を採用することで、鞄等に入るコンパクトな物も出来る。
【実施例】
【００１８】
図２のように肩フック（２）を肩に掛け、ベルト係着具（５）をズボンのベルトに掛け、その姿勢の状態の時に傘をホルダー（６）に挟み込みこんで使用する。実施例品は図１に示すごとく棒（１）を水道パイプ、筒溝（６Ｌ）（６Ｒ）をナイロン樹脂とし、接続材（８）は螺子を切った金属製のビスとナットを使用したが、ボルトとナットの組み合わせでも良いし、ビス、リベットでも良い。引張力付与部材（４）には自転車の荷台等でよく使う、市販のゴム紐を利用した。ベルト係着具（５）はプラスチック製のフックをゴム紐の先に繋いだ。発明者の使用体験によると図２のように肩フックを右肩に掛け、ベルト係着具（５）も右側腰に掛ける使い方も出来るが、ベルト係着具（５）を左側腰に掛けるクロス型の使い方も出来た。これは使用者の使い勝手であり、自分の好みで選択すればよいが、右利きの人は左、左利きの人は右肩に肩フック（２）を掛け、その真下に棒を下ろす使い方が、一番使いやすいと感じた。又ゴム紐とベルト係着具を二本にして、ベルト係着具を左右の二箇所に分散して引っ掛けると、面倒だが定着安定度は増した。更に肩に掛かる肩フック（２）の下にスポンジの肩パッドを取り付けると、引張力が強い時でも肩に食い込む力を軽減できる感覚がした。
【産業上の利用可能性】
【００１９】
この発明は、とても質素な仕掛けで、手ぶらで傘をさす事が出来、着脱も至極簡単である。その為普及し易い。
【図面の簡単な説明】
【００２０】
【図１】本発明の傘保持具の詳細図である。
【図２】引張力付与部材が、中空部にない使用状態を表わす説明図である。
【図３】シンプルなホルダーの一例詳細を表わす平面図と立面図である
【図４】肩フック（２）の先端が背中の肩甲骨の下側に食い込む様子を表わす説明図である。
【符号の説明】
【００２１】
１、棒
２、肩フック
３、中空軸
４、引張力付与部材
５、ベルト係着具
６、ホルダー
６Ｌ、筒溝
６Ｒ、筒溝
７、傘の柄
８、接続材
９、背中
１０、肩甲骨
１１、穴
１２、リング
１３、切り欠き
１４、ベルト
【図１】
2008253651.tif 000003
【図２】
2008253651.tif 000004
【図３】
2008253651.tif 000005
【図４】
2008253651.tif 000006